(57)【要約】【課題】押圧箇所を自由に選べる健康器具としても使用可能な指輪を提供する。【解決手段】健康器具付き指輪１は、指に嵌めるリング部１０を備える。リング部１０のベース部２０から外側に突出する突起部３０を備える。突起部３０は、リング部１０を指に嵌めた状態で、突起部３０の先端部が接触可能な部分を押圧するために使用される。先端部は、接触時の滑り止め用の表面仕上げが施される。リング部１０は、リング部１０の半径方向に突出する部分に第１ネジ部が設けられる。突起部３０は、第１ネジ部と螺合する第２ネジ部が設けられ、第１ネジ部と第２ネジ部との螺合により、突起部３０は、リング部１０に取り付けられる。【選択図】図１
2010036019.tif 000002
【特許請求の範囲】
【請求項１】
指に嵌めるリング部と、
前記リング部から外側に突出する突起部とを備え、
前記突起部は、前記リング部を指に嵌めた状態で、前記突起部の先端部が接触可能な部分を押圧するために使用されることを特徴とする健康器具付き指輪。
【請求項２】
前記先端部は、接触時の滑り止め用の表面仕上げが施されることを特徴とする請求項１に記載の指輪。
【請求項３】
前記突起部は、ネジ止めにより前記リング部に脱着可能な状態で取り付けられることを特徴とする請求項１または２に記載の指輪。
【請求項４】
前記リング部は、前記リング部の半径方向に突出する部分に第１ネジ部が設けられ、
前記突起部は、前記第１ネジ部と螺合する第２ネジ部が設けられ、
前記第１ネジ部と前記第２ネジ部との螺合により、前記突起部は、前記リング部に取り付けられることを特徴とする請求項１〜３に記載の指輪。
【請求項５】
前記突起部は、前記リング部と接する柱部と、前記柱部の前記リング部と反対側で接し、半球体形状の前記先端部を有することを特徴とする請求項１〜４に記載の指輪。
【請求項６】
前記リング部と脱着可能であり、且つ前記突起部を覆うカバーを更に備えることを特徴とする請求項１に記載の指輪。
【発明の詳細な説明】
【技術分野】
【０００１】
本発明は、指輪に関し、特にツボ（径穴）を刺激する健康器具として使用可能な指輪に関する。
【背景技術】
【０００２】
突起部を使って体の一部を押圧し、ツボを刺激する健康器具が提案されている。
【０００３】
特許文献１は、指輪の内径面に設けられた突起部が、装着時に指のツボを刺激する指輪を開示する。特許文献１における指輪は、装飾具としての用途の他、ツボを刺激する健康器具として使用することが出来る。
【先行技術文献】
【特許文献】
【０００４】
【特許文献１】特開２００４−８１７６３号公報
【発明の概要】
【発明が解決しようとする課題】
【０００５】
しかし、特許文献１では、ツボを刺激する部分（押圧箇所）は、指輪を装着した指に限定される。
【０００６】
したがって本発明の目的は、押圧箇所を自由に選べる健康器具としても使用可能な指輪を提供することである。
【課題を解決するための手段】
【０００７】
本発明に係る健康器具付き指輪は、指に嵌めるリング部と、リング部から外側に突出する突起部とを備え、突起部は、リング部を指に嵌めた状態で、突起部の先端部が接触可能な部分を押圧するために使用される。
【０００８】
これにより、本件発明にかかる指輪は、通常の装飾具としての用途の他に、手などのツボ（径穴）を刺激するための健康器具として使用することが可能になる。
【０００９】
好ましくは、先端部は、接触時の滑り止め用の表面仕上げが施される。
【００１０】
これにより、押圧のために先端部が接触する部分との間の滑りを防止することが可能になる。
【００１１】
また、好ましくは、突起部は、ネジ止めによりリング部に脱着可能な状態で取り付けられる。
【００１２】
また、好ましくは、リング部は、リング部の半径方向に突出する部分に第１ネジ部が設けられ、突起部は、第１ネジ部と螺合する第２ネジ部が設けられ、第１ネジ部と第２ネジ部との螺合により、突起部は、リング部に取り付けられる。
【００１３】
これにより、リング部と突起部は別体で構成されるが、これらの取り付けは容易に行える。また、ツボを刺激する強さや、外観の好みに応じて、形状や大きさを変えた複数種類の突起部を選択的にリング部に取り付けることが可能になる。
【００１４】
また、好ましくは、突起部は、リング部と接する柱部と、柱部のリング部と反対側で接し、半球体形状の先端部を有する。
【００１５】
柱部の高さ方向の長さ分だけ、先端部はリング部から突出する。これにより、突出した分だけ、先端部を押圧部分に押し込めることが出来るため、肉厚が大きい押圧箇所についても効果的にツボを刺激することが可能になる。
【００１６】
また、好ましくは、リング部と脱着可能であり、且つ突起部を覆うカバーを更に備える。
【００１７】
これにより、突起部の不使用時は、カバーで突起部を隠し、装飾を施す領域を広くすることが可能になる。
【発明の効果】
【００１８】
以上のように本発明によれば、押圧箇所を自由に選べる健康器具としても使用可能な指輪を提供することができる。
【図面の簡単な説明】
【００１９】
【図１】第１実施形態における指輪の斜視図である。
【図２】図１と異なる方向から見た指輪の斜視図である。
【図３】指輪の正面図である。
【図４】指輪の側面図である。
【図５】第１実施形態における指輪を通常の装飾具として使用する場合の指に嵌めた例を示す図である。
【図６】第１実施形態における指輪を健康器具として使用する場合の指に嵌めた例を示す図である。
【図７】突起部の先端部分に滑り止めの表面仕上げを施した例を示す図である。
【図８】第２実施形態における、突起部を外した状態の断面図である。
【図９】第２実施形態における、突起部を取り付けた状態の断面図である。
【図１０】第２実施形態に対して、第１、第２ネジ部の配置を変えた形態における、突起部を外した状態の断面図である。
【図１１】ベース部の位置、及び柱部の形状を、第１、第２実施形態と変えた例を示す指輪の上面図である。
【図１２】ベース部の位置、及び柱部の形状を、第１、第２実施形態と変えた例を示す指輪の正面図である。
【図１３】カバーをベース部に取り付ける前の指輪の斜視図である。
【図１４】カバーをベース部に取り付けた後の指輪の斜視図である。
【発明を実施するための形態】
【００２０】
以下、第１実施形態における指輪の構成について、図を用いて説明する。第１実施形態に係る指輪１は、リング部１０、及び突起部３０を備える（図１参照）。
【００２１】
リング部１０は、人の手の指に嵌めるリング形状で、側面から見て円周の約３／４を示す円弧に沿って略帯状で、且つ人の手の指に嵌まる程度の内径を有する。側面から見て略円弧形状であるため、部材が存在しない切離部１１の長さを変化させて、様々な太さの指にリング部１０を嵌めることが可能になる。なお、リング部１０は、側面から見て略円弧形状ではなく、切離部１１を有しない円形状を有する形態であってもよい。但し、この場合は、指の大きさに合わせて何種類かの内径のものを用意する必要がある。
【００２２】
また、リング部１０は、指に嵌めやすくするために、指の挿入方向の端部から中間部にかけて内径が小さくなるように、反り返り形状を有する（図２参照）。
【００２３】
リング部１０の側面から見た円弧形状の略中間部分には、リング部１０の半径方向と垂直な略平面形状のベース部２０が設けられ、ベース部２０を形成する平面部分の略中心から、リング部１０の径方向外側に突出するように１つの突起部３０が設けられる。
【００２４】
第１実施形態では、ベース部２０を含むリング部１０、及び突起部３０が軟鉄などで一体的に成形される形態であってもよいし、ベース部２０を含むリング部１０が一体的に形成され、これに突起部３０が接着などで固定される形態であってもよい。
【００２５】
突起部３０は、ベース部２０と接し、約５ｍｍの直径を有する円柱形状の柱部３１と、柱部３１のベース部２０と反対側で接し、半球体形状の先端部３３を有する（図３、図４参照）。柱部３１と先端部３３とで、約６ｍｍの突出量が設定される。但し、突起部３０の突出量、及び直径は、これらの数値に限らない。突起部３０は、リング部１０を指に嵌めた状態で、接触可能な部分、すなわち別の手などの体の一部を押圧して、押圧箇所の近くにあるツボ（径穴）を刺激するのに使用される。
【００２６】
このため、第１実施形態における指輪１は、通常の装飾具としての用途の他に、手などのツボを刺激するための健康器具として使用することが可能になる。図５は、通常の装飾具として使用するために左手中指にリング部１０を嵌めた状態を示し、図６は、ツボ刺激用に右手親指にリング部１０を嵌めた状態を示す。通常は、指輪１を指に嵌めた状態で持ち運び出来るため、携帯性に優れるメリットも有する。
【００２７】
特に、柱部３１の高さ方向の長さ分だけ、先端部３３はベース部２０から突出する。これにより、突出した分だけ、先端部３３を押圧部分に押し込めることが出来るため、肉厚が大きい押圧箇所についても効果的にツボを刺激することが可能になる。
【００２８】
また、１つだけ設けられた突起部３０は、突起部が複数設けられる形態に比べて、押圧箇所を深く押圧出来、ツボを刺激しやすいメリットを有する。
【００２９】
なお、先端部３３の押圧する箇所と接触する部分は、滑り止め用に、格子状に形成された溝などの表面仕上げが施されるのが望ましい（図７参照）。
【００３０】
また、装飾具として外観をきれいに見せるために、リング部１０、ベース部２０、及び突起部３０の表面に、装飾されるのが望ましい。特にシールなどで使用者の好みに合わせて自由に装飾するスペースを設けるために、リング部１０やベース部２０の幅（指への挿入方向の長さ）を、長めに形成するのが望ましい。
【００３１】
次に、第２実施形態について説明する。第１実施形態では、突起部３０がベース部２０に固定される形態を説明したが、第２実施形態では、突起部３０がベース部２０から着脱可能である点で相違する。以下、第１実施形態と異なる点を中心に説明する。
【００３２】
第２実施形態では、ベース部２０を含むリング部１０は一体的に成形されるが、突起部３０はこれらと別体で成形される。ベース部２０は、ベース部２０を形成する平面部分の略中心からリング部１０の径方向外側に突出する略円柱形状部分の外周面に第１ネジ部２９が設けられ、突起部３０の柱部３１の内側（内周面）で且つベース部２０と対向する側には、第１ネジ部２９と螺合する第２ネジ部３９が設けられる（図８、図９参照）。第１ネジ部２９と第２ネジ部３９との螺合により、突起部３０は、簡単に且つ着脱自在にベース部２０に取り付けられる。
【００３３】
なお、突起部３０の柱部３１の周囲であってベース部２０と接する側には、指輪１を装飾する部材（不図示）が設けられても良い。
【００３４】
このため、突起部３０は手などの押圧箇所近傍にあるツボを刺激するのに最適な材質（ゴムなど）を使用することができ、リング部１０やベース部２０は、指に嵌めて使用する際に最適な材質（軟鉄など）を使用することが可能になる。また、突起部３０は、押圧箇所の肉厚、ツボを刺激する強さ、または外観の好みに合わせて、突出量や半径を変えて、形状や大きさの異なる複数種類のものを用意し、これらの中から選択的に１つの突起部３０をベース部２０に取り付けて使用することも可能になる。
【００３５】
なお、第１ネジ部２９がリング部１０の略円柱形状部分の内周面に設けられ、第２ネジ部３９が、第１ネジ部２９と螺合する位置に設けられる形態であってもよい（図１０参照）。具体的には、第２ネジ部３９は、突起部３０の柱部３１の内側で且つ、ベース部２０側に設けられた別の柱状突起部の外周面に設けられる。また、リング部１０のベース部２０と突起部３０とのネジ止めはこれらの形態に限られない。
【００３６】
また、リング部１０に設けられるベース部２０は、リング部１０の円弧形状から指への挿入方向（またはその反対方向）に沿って突出するように設けられる形態であってもよい（図１１、図１２参照）。また、突起部３０は、体の一部を押圧して、押圧箇所の近くにあるツボを刺激する形状であれば、柱部３１の形状は、円柱形状に限られない。
【００３７】
また、リング部１０（またはベース部２０）と脱着可能であって、且つ突起部３０を覆うカバー４０を設ける形態であってもよい。これにより、突起部３０の不使用時は、カバー４０で突起部３０を隠し、装飾を施す領域を広くすることが可能になる。
【符号の説明】
【００３８】
１  指輪
１０  リング部
２０  ベース部
２９  第１ネジ部
３０  突起部
３１  柱部
３３  先端部
３９  第２ネジ部
４０  カバー
【図１】
2010036019.tif 000003
【図２】
2010036019.tif 000004
【図３】
2010036019.tif 000005
【図４】
2010036019.tif 000006
【図５】
2010036019.tif 000007
【図６】
2010036019.tif 000008
【図７】
2010036019.tif 000009
【図８】
2010036019.tif 000010
【図９】
2010036019.tif 000011
【図１０】
2010036019.tif 000012
【図１１】
2010036019.tif 000013
【図１２】
2010036019.tif 000014
【図１３】
2010036019.tif 000015
【図１４】
2010036019.tif 000016